(57)【特許請求の範囲】
【請求項１】
画像再生装置において、
静止画像を表示する表示部と、
静止画像データと該静止画像データの撮影時の位置、方位情報とを記録している画像記録部と、
上記画像記録部に記録された位置、方位情報に基づき、複数の静止画像間の位置、方位の差を検出する位置・方位変化検出部と、
上記位置・方位変化検出部の出力に基づいて、複数の静止画像を、上記表示部にてスライドさせて表示する方法を決定するスライド方法決定部と、
上記スライド方法決定部の出力と、上記複数の静止画像データに基づいてスライド静止画像を生成するスライド静止画像生成部と、
を有し、
上記スライド静止画像生成部は、上記位置・方位変化検出部の出力に基づいてコマ送り前画像とコマ送り後画像との間で方位が変化した場合には、上記スライド方法決定部の出力に基づき、上記コマ送り前画像のコマ送り方向と反対側の辺の長さをコマ送り方向の辺の長さより短くなるように上記コマ送り前画像を変形した第１の画像を生成して上記表示部に表示することを特徴とする画像再生装置。
【請求項２】
上記スライド静止画像生成部は、上記コマ送り後画像のコマ送り方向の辺の長さがコマ送り方向と反対側の辺の長さよりも短くなるように上記コマ送り後画像を変形した第２の画像を生成し、上記表示部にて上記第１の画像に対して上記コマ送り方向とは反対側の位置に上記第２の画像を表示することを特徴とする請求項１に記載の画像再生装置。
【請求項３】
上記スライド静止画像生成部は、上記表示部にて上記第１の画像を消去し、上記第２の画像だけを表示することを特徴とする請求項２に記載の画像再生装置。
【請求項４】
上記スライド静止画像生成部は、上記方位の変化の度合が大きいほど、上記第１の画像の上記コマ送り前画像のコマ送り方向と反対側の辺の長さをより短くするように上記コマ送り前画像を変形して上記第１の画像を生成することを特徴とする請求項１に記載の画像再生装置。
【発明の詳細な説明】
【技術分野】
【０００１】
本発明は、画像を再生して表示する画像再生装置に関する。
【背景技術】
【０００２】
近年デジタルカメラが普及し、撮影された静止画像を鑑賞する際には、静止画像を順次再生するスライドショーが利用されることが多い。スライドショーでは、撮影した日付けの順番に記録媒体から静止画像を読み出し、所定の時間間隔で画像を切換えて再生を行う。
【０００３】
スライドショーを実行する場合、単に、日付け順に順次再生するのでは、場面に関連性がない場合には、違和感が生じてしまう。そこで、特許文献１に開示の再生装置においては、切換え前後の画像の日付情報と位置情報の差を算出し、時間経過や位置変化が一定以上有る場合には、無関係な画像であるとして、画面切換え時に大きく変化することを明示する画面を表示するようにしている。
【先行技術文献】
【特許文献】
【０００４】
【特許文献１】特開２００７−２９５０３５号公報
【発明の概要】
【発明が解決しようとする課題】
【０００５】
上述の特許文献１に開示の再生装置においては、時間経過や位置変化が一定以上有る場合に、前後の画像が無関係であることを表示し、場面転換を行うことにより単調な画面となることを防止することができる。しかし、前後の画像に関連性が有る場合には、単に画像を切換えるのみであり、関連性を想起しにくい臨場感に欠けた再生表示となってしまう。
【０００６】
本発明は、このような事情を鑑みてなされたものであり、画像の切換え時に撮影シーンを想起し易くし、臨場感のある再生表示を行うことが可能な画像再生装置を提供することを目的とする。
【課題を解決するための手段】
【０００７】
上記目的を達成するため第１の発明に係わる画像再生装置は、画像再生装置において、静止画像を表示する表示部と、静止画像データと該静止画像データの撮影時の位置、方位情報とを記録している画像記録部と、上記画像記録部に記録された位置、方位情報に基づき、複数の静止画像間の位置、方位の差を検出する位置・方位変化検出部と、上記位置・方位変化検出部の出力に基づいて、複数の静止画像を、上記表示部にてスライドさせて表示する方法を決定するスライド方法決定部と、上記スライド方法決定部の出力と、上記複数の静止画像データに基づいてスライド静止画像を生成するスライド静止画像生成部と、を有し、上記スライド静止画像生成部は、上記位置・方位変化検出部の出力に基づいてコマ送り前画像とコマ送り後画像との間で方位が変化した場合には、上記スライド方法決定部の出力に基づき、上記コマ送り前画像のコマ送り方向と反対側の辺の長さをコマ送り方向の辺の長さより短くなるように上記コマ送り前画像を変形した第１の画像を生成して上記表示部に表示する。
【０００８】
第２の発明に係わる画像再生装置は、上記第１の発明において、上記スライド静止画像生成部は、上記コマ送り後画像のコマ送り方向の辺の長さがコマ送り方向と反対側の辺の長さよりも短くなるように上記コマ送り後画像を変形した第２の画像を生成し、上記表示部にて上記第１の画像に対して上記コマ送り方向とは反対側の位置に上記第２の画像を表示する。
【０００９】
第３の発明に係わる画像再生装置は、上記第２の発明において、上記スライド静止画像生成部は、上記表示部にて上記第１の画像を消去し、上記第２の画像だけを表示する。
【００１０】
第４の発明に係わる画像再生装置は、上記第１の発明において、上記スライド静止画像生成部は、上記方位の変化の度合が大きいほど、上記第１の画像の上記コマ送り前画像のコマ送り方向と反対側の辺の長さをより短くするように上記コマ送り前画像を変形して上記第１の画像を生成する。
【発明の効果】
【００１２】
本発明によれば、静止画の再生の際に、前後の画像の関連性に応じて、画像を加工して表示させているので、撮影シーンを想起し易くして臨場感のある再生表示を行うことが可能な画像再生装置を提供することができる。
【図面の簡単な説明】
【００１３】
【図１】本発明の一実施形態に係わるカメラの主として電気回路の構成を示すブロック図である。
【図２】本発明の一実施形態に係わるカメラにおいて、スライドショーの実行時における画面転換用の画像加工の一例を示す図である。
【図３】本発明の一実施形態に係わるカメラにおいて、スライドショーの実行時にズーム効果を利用して画面転換を行う一例を示す図である。
【図４】本発明の一実施形態に係わるカメラにおいて、スライドショー実行時にパースペクティブ効果を利用して画面転換を行う一例を示す図である。
【図５】本発明の一実施形態に係わるカメラにおいて、スライドショー実行時に方位および仰俯角の変化を考慮したパースペクティブ効果を利用して画面転換を行う一例を示す図である。
【図６】本発明の一実施形態に係わるカメラにおいて、スライドショー実行時にズーム効果、方位および仰俯角の変化を考慮したパースペクティブ効果を利用して画面転換を行う一例を示す図である。
【図７】本発明の一実施形態に係わるカメラにおいて、２枚の静止画像の撮影方向の関係を分かりやすくした地図上での表示の一例を示す図であって、同一地点で２枚の撮影を行った場合を示す。
【図８】本発明の一実施形態に係わるカメラにおいて、２枚の静止画像の撮影位置と撮影方向の関係を分かりやすくした地図上での表示の一例を示す図であって、異なる２地点で２枚の撮影を行った場合を示す。
【図９】本発明の一実施形態に係わるカメラにおいて、２枚の静止画像の撮影地点が離れている場合に両撮影位置の関係を分かりやすくした地図上での表示の一例を示す図である。
【図１０】本発明の一実施形態に係わるカメラにおいて、スライドショー実行時に静止画像および地図をそれぞれ加工し合成表示する一例を示す図である。
【図１１】本発明の一実施形態に係わるカメラにおいて、スライドショー実行時に静止画像および地図をそれぞれ加工し合成表示する他の一例を示す図である。
【図１２】本発明の一実施形態に係わるカメラにおいて、再生影モードにおける動作を示すフローチャートである。
【図１３】本発明の一実施形態に係わるカメラにおいて、スライド方法決定の動作を示すフローチャートである。
【発明を実施するための形態】
【００１４】
以下、図面に従って本発明を適用したカメラを用いて好ましい実施形態について説明する。本発明の好ましい一実施形態に係わるカメラは、デジタルカメラであり、撮像部（不図示）を有し、この撮像部によって被写体像を画像データに変換し、この変換された画像データに基づいて、被写体像を本体の背面に配置した表示部９にライブビュー表示する。撮影者はライブビュー表示を観察することにより、構図やシャッタチャンスを決定する。レリーズ操作時には、画像データが記録媒体である画像記録部１に記録される。画像記録部１に記録された画像データは、再生モードを選択すると、表示部９に再生表示することができる。表示部９に再生表示するにあたって、スライドショーや再生画像のコマ送りが設定されると、２枚の静止画の位置の差や方位の差に応じて画像を加工して表示する。
【００１５】
図１は、本発明の一実施形態に係わるカメラの構成を示すブロック図である。画像記録部１は、カメラ本体に内蔵、または装填可能な画像データの記録媒体である。画像記録部１内には、静止画の画像データ１ａ、撮影時刻１ｂ、位置・方位・仰俯角データ１ｃの各データが記録されている。すなわち、１つの画像データ１ａに対して、この画像データ１ａの撮影時刻１ｂが記録され、画像データ１ａの撮影位置、撮影方向、および撮影の俯角や仰角のデータが記録されている。画像データ１ａに付随するこれらのデータは、カメラ撮影時に画像データ１ａに関連付けて記録される。
【００１６】
画像記録部１に接続された制御部３は、ＣＰＵ（Central Processing Unit）を含むＡＳＩＣ（Application Specific Integrated Circuit）等によって構成される。制御部３は、図示しないフラッシュメモリ等の不揮発性メモリに記憶された制御プログラムに従って動作し、カメラの全体制御を行う。制御部３内には、撮影時刻変化算出部２ａ、位置・方位・仰俯角変化算出部３ｂ、スライド方法決定部３ｃが設けられている。制御部３内の３ａ〜３ｃは、制御プログラムにより実行される処理の一部であるので、制御部３に含まれる機能部として説明する。
【００１７】
撮影時刻変化算出部３ａは、撮影時刻１ｂのデータを入力し、現在表示している静止画像とコマ送りなどの操作により次に表示する静止画像の撮影時刻の時間間隔を算出する。位置・方位・仰俯角変化算出部３ｂは、位置・方位・仰俯角データ１ｃのデータを入力し、現在表示している画像とコマ送りなどの操作により次に表示する静止画像の位置、方位、および仰俯角の変化を算出する。
【００１８】
スライド方法決定部３ｃは、撮影時刻変化算出部３ａおよび位置・方位・仰俯角変化算出部３ｂからの算出結果を入力し、スライドショーや再生画像のコマ送り操作の実行時のスライド方法の決定を行う。スライド方法の決定にあたっては、現在表示している静止画像から、コマ送りなどの操作で次の静止画像を表示するスライド時に表示する静止画像の表示方法、または地図画像の表示方法を決定する。静止画像及び地図画像のスライド方法は、撮影時刻変化算出部３ａおよび位置・方位・仰俯角変化算出部３ｃにおける算出結果に基づいて、後述する図２に示す関係に従って決定する。
【００１９】
スライド静止画像生成部５は、スライド方法決定部３ｃによる決定結果、および画像記録部１に記録されている画像データ１ａを入力する。スライド静止画像生成部５は、現在表示している静止画像から、コマ送りなどの操作で次の静止画像を表示するスライド時に表示するスライド静止画像を、画像データ１ａとスライド方法決定部３ｃの出力に基づいて生成する。ここで生成されるスライド静止画像としては、例えば、ズーム効果やパースペクティブ効果を施した画像である。このスライド静止画像の加工例については、図３ないし図６を用いて説明する。
【００２０】
地図データベースメモリ（以下、「地図ＤＢメモリ」と称す）７は、位置・方位・仰俯角データ１ｃの出力を入力し、地図画像を記憶するメモリである。地図ＤＢメモリ７は、位置・方位・仰俯角データ１ｃの出力に基づいて、対応する位置の地図の画像データを出力する。
【００２１】
表示地図生成部６は、位置・方位・仰俯角データ１ｃの出力およびスライド方法決定部３ｃの決定結果を入力し、表示用の地図画像を生成する。表示地図生成部６は、現在表示している静止画像に対応する地図画像を生成する。また、現在表示している画像から、コマ送りなどの操作で次の地図画像を表示するスライド時に表示するスライド地図画像の生成も行う。スライド地図画像は、スライド方法決定部３ｃの出力に基づいて決定する。このスライド地図画像の加工例については、図７ないし図９を用いて後述する。
【００２２】
合成部８は、画像データ１ａの出力、スライド静止画像生成部３ｃの出力、および表示地図生成部６の出力を入力する。合成部８は、画像データ１ａに基づいて表示する静止画像と、表示地図生成部６で生成された地図画像を合成する。また、現在表示している画像から、コマ送りなどの操作で次に表示する表示するスライド静止画像とスライド地図画像の合成を行う。この合成画像の加工例については、図１０および図１１を用いて後述する。なお、スライド地図画像またはスライド静止画像のいずれか一方のみの表示の場合には、他方の画像は合成せずに選択された画像のみを出力する。
【００２３】
表示部９は、液晶モニタ等を有し、合成部９において合成された通常画像またはスライド画像の表示を行う。この他、カメラ撮影時にはライブビュー表示やレックビュー表示を、また通常再生時には記録画像の再生も行う。
【００２４】
次に、本実施形態におけるスライド方法について、図２ないし図１１を用いて説明する。このスライド方法による再生は、ユーザが記録画像の再生を行う際に、スライドショーや再生画像のコマ送り操作による再生モードが設定された場合に実行される。
【００２５】
図２は、本実施形態におけるスライド方法の全体を示す図である。スライド方法の決定にあたっては、現在表示中の静止画像と、コマ送り操作等により次に表示する静止画像について、時刻変化および撮影位置変化の大小に基づいて静止画スライドおよび地図スライドのスライド方法を決定する。また、現在表示中の静止画像に対して、次に表示する静止画像が前方に位置するか否か、すなわち、現在表示中の静止画像の撮影方向の前方に位置しているか否かに基づいて、スライド方法を決定する。また、現在表示中の静止画像に対して、次に表示する静止画像の方位と仰俯角の変化の有無に基づいて、スライド方法を決定する。
【００２６】
例えば、図２中の（ａ）で示すパターンの場合は、現在表示中の静止画像と次に表示される静止画像の間で、撮影時刻変化が小であり、また撮影位置変化が大の場合であり、さらに次に表示される静止画像は現在表示中の静止画像の撮影方向の前方にあり、さらに撮影方向または仰俯角に変化がある場合である。この場合、静止画スライドを行うにはディゾルブによって行う。また、地図スライドを行う場合には、縮小の地図画像を表示し、この縮小した地図上で移動し、次に表示される静止画像の撮影位置付近に達すると地図画像を拡大表示する。また、方位または仰俯角に変化があることから、撮影方向を示す地図上の矢印は、地図上を移動する際に、角度が変化する。パターン（ｂ）〜（ｑ）に対するスライド方法は、図２に示した通りである。
【００２７】
図２に示されている静止画スライドの内、ディゾルブは、現在表示中の静止画像を徐々に暗くしながら消失させ、消失していく最中に、次に表示される静止画像を徐々に明るくしながら現わしていく静止画スライドの表示方法である。撮影時刻の変化が大きい場合（図２中の（ｉ）〜（ｑ））、または撮影時刻の変化が小さくても撮影位置の変化が大きい場合に（図２中の（ａ）〜（ｄ））、スライド間の画像の関連が少ないことから、本実施形態においては、ディゾルブでスライド表示を行うようにしている。
【００２８】
図２中の（ｆ）に示されるように、撮影時刻と撮影位置の変化が少なく、次に表示される静止画像の撮影位置が現在表示中の静止画像の撮影方向前方位にあり、仰俯角に変化がない場合には、静止画スライドを行うにあたって、ズーム効果で静止画スライドの表示を行う。
【００２９】
図３（ａ）は撮影位置関係を示す地図であり、コマ送り前撮影位置２１は現在表示中の静止画像の撮影位置を示し、コマ送り後撮影位置２２は次に表示される静止画像の撮影位置を示す。コマ送り前撮影２１の撮影方向２１ａの所定角度２３の範囲内に、コマ送り後撮影位置２２が存在することから、コマ送り後撮影位置２２は、コマ送り前撮影の撮影方向の延長線上に位置すると判断され、この場合にはズーム効果でスライド表示がなされる。
【００３０】
図３（ｂ）は、ズーム効果で静止画スライドを行う場合の再生画像の変化を示す。まず、コマ送り前画像３１を表示部９に表示する（Ｔ０１参照）。再生画像のコマ送り操作等がなされるか、スライドショーで予め決められた時間が経過すると、コマ送り前画像３１を拡大し疑似的なズーミングを行ったズーム画像３２を生成し表示する（Ｔ０２参照）。
【００３１】
ズーム画像３２を表示すると、さらに拡大し疑似的なズーミングを行ったズーム画像３３を生成し、表示する（Ｔ０３参照）。ズーム効果の付与の際（Ｔ０２およびＴ０３）には、２つの撮影位置の関係に応じて徐々に拡大する。ズーム画像３３を表示すると、次のコマ送り後画像３４を表示する（Ｔ０４参照）。
【００３２】
このようにコマ送りを行う際に、次のコマが表示される前に、ズーム効果を付与し、徐々に拡大した静止画像を表示することにより、次のコマの静止画像に近づいていく演出効果を与えることができる。
【００３３】
なお、図３（ｂ）に示した例では、ズーム画像としては２コマの画像を生成したが、これに限らず、途中のズーム画像を多くし、滑らかにズーミング画像が表示されるようにしてもよい。また、疑似的にズーミングを行うにあたって、図３（ｂ）に示す例では、拡大中心の位置は中央付近としたが、これに限らず、コマ送り後画像の撮影位置２２に応じて拡大中心位置を変えるようにしても勿論かまわない。また、撮影時の焦点距離情報を加味して拡大率や拡大の変化速度を決めても構わない。
【００３４】
図２（ｇ）に示されるように、撮影時刻と撮影位置の変化が少なく、次に表示される静止画像の位置が現在表示中の静止画像の撮影方向前方位にないが、方位または仰俯角に変化がある場合には、静止画スライドを行うにあたって、パースペクティブ効果でスライド表示を行う。
【００３５】
まず、図４を用いて、方位に変化があるが、仰俯角が０度の場合について説明する。図４（ａ）は撮影位置関係を示す地図であり、コマ送り前撮影位置２１は現在表示中の静止画像の撮影位置を示し、コマ送り後撮影位置２２は次に表示される静止画像の撮影位置を示す。この例においては、コマ送り前撮影位置２１とコマ送り後撮影位置２２の位置は、略同じである。コマ送り前撮影位置２１における撮影方向２１ａと、コマ送り後撮影位置２２における撮影方向２２ａは異なっている。また、コマ送り前撮影位置２１における静止画像とコマ送り後撮影位置２２における静止画像の仰俯角は共に０度である。このような関係にある場合にはパースペクティブ効果で静止画スライドの再生表示がなされる。
【００３６】
図４（ｂ）は、パースペクティブ効果で静止画スライドを行う場合の再生画像の変化を示す。まず、スライド画像４１ａとしてコマ送り前画像３５を表示部９に表示する（Ｔ１１参照）。コマ送り操作等がなされるか、スライドショーで予め決められた時間が経過すると、コマ送り後画像の撮影方向２２ａが撮影方向２１ａよりも左側の方向にあることから、左側からコマ送り後画像３６がパースペクティブ効果で徐々に出現するように表示する。すなわち、コマ送り前画像３５の左側の辺の長さが右側の辺の長さより短いコマ送り前画像３５ａをスライド画像４１ｂとして表示部９に表示する（Ｔ１２参照）。
【００３７】
スライド画像４１ｂを表示すると、続いて表示部９の画面の左側に、コマ送り後画像３６の右側の辺の長さが左側の辺の長さより短くしたコマ送り後画像３６ａを表示させると共に、表示部９の画面の右側に、コマ送り前画像３５をさらにデフォルメしたコマ送り前画像３５ｂを表示させたスライド画像４１ｃを生成し、表示する（Ｔ１３参照）。なお、コマ送り前画像３５ｂの左辺の長さは、撮影方向２１ａから撮影方向２２ａへの変化の度合いが大きい程、短くなるように長さを変化させると、パースペクティブ効果がより一層顕著となる。
【００３８】
スライド画像４１ｃを表示すると、次に、コマ送り前画像３５ｂとコマ送り後画像３６ａの隣接線を画面上右側に移動させ、コマ送り前画像３５ｃとコマ送り後画像３６ｂを表示させたスライド画像４１ｄを生成し、表示する（Ｔ１４参照）。このスライド画像４１ｄを表示すると、次に、右辺が左辺よりも短いコマ送り後画像３６ｃのみを表示させたスライド画像４１ｅを生成し、表示する（Ｔ１５参照）。このスライド画像４１ｅを表示すると、次に、撮影画像であるコマ送り後画像３６を表示させたスライド画像４１ｆを表示させる（Ｔ１５参照）。
【００３９】
このように、パースペクティブ効果によるスライド表示では、コマ送り前画像の撮影方向に対するコマ送り後画像の撮影方向の差に応じて、奥行きを感じさせるように、画像の短辺の長さを左右で変化させながら、徐々にコマ送り前画像からコマ送り後画像を順次表示する。これにより、前後の画像の位置関係の変化を演出したスライド表示となる。
【００４０】
次に、図５を用いて、方位および仰俯角に変化がある場合について説明する。図５（ａ）は撮影位置関係を示す地図であり、コマ送り前撮影位置２１は現在表示中の静止画像の撮影位置を示し、コマ送り後撮影位置２２は次に表示される静止画像の撮影位置を示す。この例においては、コマ送り前撮影位置２１とコマ送り後撮影位置２２の位置は、異なっており、またコマ送り前撮影２１の撮影方向２１ａの所定角度２３の範囲内に、コマ送り後撮影位置２２は存在せず、コマ送り後撮影位置２２は、コマ送り前撮影の撮影方向の延長線上に位置しないと判断される。また、コマ送り前撮影位置２１における静止画像（コマ送り前画像３７）の仰俯角は０度であるが、コマ送り後撮影位置２２における静止画像（コマ送り後画像３８）の仰角は４５度である。この場合には、仰角を考慮したパースペクティブ効果でスライド表示がなされる。
【００４１】
図５（ｂ）は、仰角を考慮したパースペクティブ効果で静止画スライドの再生表示を行う場合の再生画像の変化を示す。まず、スライド画像４２ａとしてコマ送り前画像３７を表示部９に表示する（Ｔ２１参照）。コマ送り操作等がなされるか、スライドショーで予め決められた時間が経過すると、コマ送り後画像の撮影位置２２がコマ送り前撮影位置２１よりも左側の方向にあることから、左側からコマ送り後画像３８がパースペクティブ効果で徐々に出現するように表示する（Ｔ２２参照）。
【００４２】
この際、コマ送り後画像の仰角は４５度であることから、左上側からパースペクティブ効果で徐々に出現するようにする。すなわち、コマ送り前画像３７の左側の辺の長さが右側の辺の長さより短くし、上辺と右辺のなす角度を鈍角としたコマ送り前画像３７ａをスライド画像４２ｂとして表示部９に表示する。
【００４３】
スライド画像４２ｂを表示すると、続いて表示部９の画面の左側に、コマ送り後画像３８の右側の辺の長さが左側の辺の長さより短くしたコマ送り後画像３８ａを表示させると共に、コマ送り前画像３７をさらにデフォルメしたコマ送り前画像３７ｂを画面の右側に表示させたスライド画像４２ｃを生成し、表示する（Ｔ２３参照）。なお、コマ送り前画像３７ｂの左辺の長さ３７ｂ１と底辺の長さ３７ｂ２の比は、撮影方向２１ａから撮影方向２２ａへの変化の度合いや、仰角が大きい程、大きく変化させると、パースペクティブ効果がより一層顕著となる。
【００４４】
スライド画像４２ｃを表示すると、次に、コマ送り前画像３７ｂを画面右下側に移動させ、コマ送り後画像３８ａを中央側に進出させ、コマ送り前画像３７ｃとコマ送り後画像３８ｂを表示させたスライド画像４２ｄを生成し、表示する（Ｔ２４参照）。このスライド画像４２ｄを表示すると、さらにコマ送り後画像３８ｂを右側に移動させ、コマ送り前画像３７ｃを右側に移動させ、コマ送り前画像３７ｄとコマ送り後画像３８ｃを表示させたスライド画像４２ｅを生成し、表示する（Ｔ２５参照）。
【００４５】
スライド画像４２ｅを表示すると、次に、右辺が左辺よりも短いコマ送り後画像３８ｄのみを表示させたスライド画像４２ｆを生成し、表示する（Ｔ２６参照）。このスライド画像４２ｆを表示すると、次に、静止画像であるコマ送り後画像３８を表示させたスライド画像４２ｇを表示させる（Ｔ２７参照）。
【００４６】
このように、仰俯角を考慮したパースペクティブ効果による静止画スライドでは、コマ送り前画像の撮影方向に対するコマ送り後画像の撮影方向の差および仰角に応じて、奥行きを感じさせるように、画像の短辺や底辺の長さを左右で変化させ、また矩形の角度を変化させながら、徐々にコマ送り前画像からコマ送り後画像を順次表示する。これにより、前後の画像の位置関係の変化を演出したスライド表示となる。
【００４７】
図２中の（ｅ）に示されるように、撮影時刻と撮影位置の変化が少なく、次に表示される静止画像の位置が現在表示中の静止画像の撮影方向前方位にあり、かつ方位または仰俯角に変化がある場合には、静止画スライドを行うにあたって、ズーム効果でスライド表示を行った後にパースペクティブ効果でスライド表示を行う。
【００４８】
図６（ａ）は撮影位置関係を示す地図であり、コマ送り前撮影位置２１は現在表示中の静止画像の撮影位置を示し、コマ送り後撮影位置２２は次に表示される静止画像の撮影位置を示す。コマ送り前撮影２１の撮影方向２１ａの所定角度２３の範囲内に、コマ送り後撮影位置２２が存在することから、コマ送り後撮影位置２２は、コマ送り前撮影の撮影方向の延長線上に位置すると判断され、この場合にはズーム効果でスライド表示がなされる。また、撮影方向２１ａと撮影方向２２ａが異なっていることから、コマ送り前画像３９からコマ送り後画像４０に切換える際にはパースペクティブ効果でスライド表示がなされる。
【００４９】
図６（ｂ）は、ズーム効果およびパースペクティブ効果でスライド表示を行う場合の再生画像の変化を示す。まず、コマ送り前画像３９を表示部９に表示し（Ｔ３１参照）、コマ送り操作等がなされるか、スライドショーで予め決められた時間が経過すると、図３（ｂ）のＴ０１〜Ｔ０３を用いて説明したズーム効果による静止画スライドと同様の表示を行う。
【００５０】
すなわち、コマ送り前画像３９を拡大し疑似的なズーミングを行ったズーム画像３９ａを生成し、スライド画像４３ｂとして表示する（Ｔ３２参照）。ズーム画像３９ａを表示すると、さらに拡大し疑似的なズーミングを行ったズーム画像３９ｂを生成し、スライド画像４３ｃとして表示する（Ｔ３３参照）。
【００５１】
Ｔ３１〜Ｔ３３においてズーム効果を施したスライド画像４３ａ〜４３ｃを表示すると、次に、図４（ｂ）を用いて説明したパースペクティブ効果によるスライド表示と同様の表示を行う。まず、コマ送り後画像の撮影方向２２ａが撮影方向２１ａよりも左側の方向にあることから、左側からコマ送り後画像４０がパースペクティブ効果で徐々に出現するように表示する（Ｔ３４参照）。すなわち、コマ送り前画像３９の左側の辺の長さが右側の辺の長さより短くしたコマ送り前画像３９ｃをスライド画像４３ｄとして表示部９に表示する。
【００５２】
スライド画像４３ｄを表示すると、続いて表示部９の画面の左側に、コマ送り後画像４０の右側の辺の長さが左側の辺の長さより短くしたコマ送り後画像４０ａを表示させると共に、表示部９の画面の右側に、コマ送り前画像３９をさらにデフォルメしたコマ送り前画像３９ｄを表示させたスライド画像４３ｅを生成し、表示する（Ｔ３５参照）。
【００５３】
スライド画像４３ｅを表示すると、次に、コマ送り前画像３９ｄとコマ送り後画像４０ａの隣接線を画面右側に移動させ、コマ送り前画像３９ｅとコマ送り後画像４０ｂを表示させたスライド画像４３ｆを生成し、表示する（Ｔ３６参照）。このスライド画像４３ｆを表示すると、次に、右辺が左辺よりも短いコマ送り後画像４０ｃのみを表示させたスライド画像４３ｇを生成し、表示する（Ｔ３７参照）。このスライド画像４３ｇを表示すると、次に、静止画像であるコマ送り後画像４０を表示させたスライド画像４３ｈを表示させる（Ｔ３８参照）。
【００５４】
このように、ズーム効果およびパースペクティブ効果を組み合わせたスライド表示では、現在表示中のコマ送り前画像からコマ送り後画像にズーム効果により近づいていくような演出を施すことができ、またコマ送り前画像の撮影方向に対するコマ送り後画像の撮影方向の差に応じて、前後の画像の位置関係の変化を演出することができる。このため、より臨場感のあるスライド表示が可能となる。
【００５５】
次に、地図画像のスライド表示について、図７ないし図９を用いて説明する。なお、ユーザが、再生表示の際に地図画像をスライド表示することを望む場合には、予めメニュー画面等において、地図画像スライド表示を設定しておくものとする。
【００５６】
図２中の（ｅ）〜（ｈ）に示される撮影時刻と撮影位置の変化が少ない場合の内、現在の撮影位置と次の撮影位置で同じであって、撮影方向のみが相違する場合には、図７に示すように、地図は変化せず、撮影方向を示す矢印が地図上で変化する。
【００５７】
図７（ａ）は、撮影位置関係を示す地図であり、撮影位置２４は、１枚目の撮影位置であると共に２枚目の撮影位置である。１枚目は撮影方向２４ａの方向を撮影し、２枚目は撮影方向２４ｇの方向を撮影したものとする。この場合の地図画像スライドにおける表示は、まず、地図画像上に撮影位置２４と撮影方向２４ａを重畳したスライド画像４４ａを、表示部９に表示する（Ｔ４１参照）。
【００５８】
スライド画像４４ａを表示すると、撮影位置２４と地図画像は固定したまま、撮影方向２４ｂ〜２４ｆが、反時計方向に回るスライド画像４４ｂ〜４４ｄを順次表示する（Ｔ４２〜Ｔ４４参照）。そして、最後に、２枚目の撮影位置２４と撮影方向２４ｇを表示するスライド画像４４ｅを表示する（Ｔ４５参照）。
【００５９】
このように、図７に示した地図画像スライド表示では、１枚目と２枚目の撮影方向の変化を矢印で表示している。このため撮影方向の変化を視覚的に容易に捉えることができる。なお、本実施形態においては、地図を固定し矢印を回転させたが、逆に矢印を固定し地図を回転させるようにしてもよい。また、撮影方向を矢印で表示したが、矢印に限らず、単純な線分等、他の表示方法であっても構わない。
【００６０】
図２中の（ｅ）〜（ｈ）に示されるように、撮影時刻と撮影位置の変化が少ない場合であって、撮影位置がやや変化し撮影方向も変化する場合には、図８に示すように、撮影位置と撮影方向を示す矢印が地図上で変化する。
【００６１】
図８（ａ）は、撮影位置関係を示す地図であり、撮影位置２５ａは１枚目の撮影位置であり、撮影位置２５ｅは２枚目の撮影位置である。１枚目は撮影方向２６ａの方向を撮影し、２枚目は撮影方向２６ｅの方向を撮影したものとする。この場合の地図画像スライドにおける表示は、まず、地図画像上に撮影位置２５ａと撮影方向２６ａを重畳したスライド画像４５ａを表示する（Ｔ５１参照）。
【００６２】
スライド画像４５ａを表示すると、地図画像は固定したまま、撮影位置２５ｂ〜２５ｄを２枚目の撮影位置２５ｅに向けて移動させ、この撮影位置に応じて撮影方向２６ｂ〜２６ｄを反時計方向に回るスライド画像４５ｂ〜４５ｄを順次表示する（Ｔ５２〜Ｔ５４参照）。そして、最後に、２枚目の撮影位置２５ｅと撮影方向２６ｅを表示するスライド画像４５ｅを表示する（Ｔ５５参照）。
【００６３】
このように、図８に示した地図画像スライドでは、１枚目と２枚目の撮影位置および撮影方向の変化を地図上で表示している。このため撮影位置と撮影方向の変化を視覚的に容易に捉えることができる。なお、本実施形態においては、地図を固定し矢印を回転させたが、逆に矢印を固定し地図を回転させるようにしてもよい。また、撮影方向を矢印で表示したが、矢印に限らず、単純な線分等、他の表示方法であっても構わない。
【００６４】
図２中の（ａ）〜（ｄ）に示されるように、撮影時刻に変化が小さいが撮影位置の変化が大きい場合、または図２（ｉ）〜（ｑ）に示されるように、撮影時刻の変化が大きい場合には、図９に示すように、地図を縮小し、コマ送り前後の位置が収まる縮尺に変えてから矢印を移動する。その後、コマ送り後の詳細な撮影位置を表示するために地図を拡大表示する。
【００６５】
図９（ａ）は、撮影位置関係を示す地図であり、撮影位置２７は１枚目の撮影位置であり、撮影位置２８は２枚目の撮影位置である。１枚目の撮影は日本で行われ撮影方向２９ａであり、２枚目の撮影は米国で行われ撮影方向２９ｆである。
【００６６】
この場合の地図画像スライド表示は、まず、地図画像上に１枚目の撮影の撮影位置２７と撮影方向２９ａを重畳したスライド画像４６ａを表示する（Ｔ６１参照）。ここでは、１枚目の撮影位置を詳細に示すために大縮尺の地図を用いて表示する。次に、２枚目の撮影位置を示すが、大縮尺の地図では表示できないことから、一旦、小縮尺の地図で位置関係を示してから、２枚目の撮影位置の小縮尺の地図で表示する。
【００６７】
すなわち、スライド画像４６ａを表示すると、日本全体を示す地図画像に撮影位置２７を重畳したスライド画像４６ｂを表示し（Ｔ６２参照）、さらに世界全体を示す地図画像に撮影位置２７を重畳したスライド画像４６ｃを表示する（Ｔ６３参照）。Ｔ６２およびＴ６３においては、コマ送り間の距離に応じて地図を縮小する。
【００６８】
世界地図を表示すると、２枚目の撮影位置２８を重畳したスライド画像４６ｄを表示する（Ｔ６４参照）。世界地図を表示すると、２枚目の撮影位置２８も表示できることから、撮影位置２８を表示すると共に、矢印２９ｄの方向を変える。続いて、２枚目の撮影地のある米国全体を示す地図画像に撮影位置２８を重畳したスライド画像４６ｅを表示する（Ｔ６５参照）。
【００６９】
最後、２枚目の撮影位置２８を大縮尺の地図に重畳したスライド画像４６ｆを表示する（Ｔ６６参照）。また、撮影方向を示す矢印は、１枚の撮影方向２９ａを起点に２枚目の撮影方向２９ｆに向けて反時計方向に順次回転するように撮影方向２９ｂ〜２９ｅとして表示する。
【００７０】
このように、図９に示した地図画像スライドにおいても、１枚目と２枚目の撮影位置および撮影方向の変化を地図上で表示している。また、表示にあたって、１枚目の撮影位置を示す地図を順次小縮尺の地図に変更し、１枚目と２枚目の撮影位置を表示可能な小縮尺の地図となった際に、２枚目の撮影位置を表示している。２枚目の撮影位置を表示すると、以後、２枚目の撮影位置を詳細に示すために大縮尺の地図に変更するようにしている。このため撮影位置の変化を視覚的に容易に捉えることができる。なお、本実施形態においては、地図を固定し矢印を回転させたが、逆に矢印を固定し地図を回転させるようにしてもよい。また、撮影方向を矢印で表示したが、矢印に限らず、単純な線分等、他の表示方法であっても構わない。
【００７１】
スライド表示あたって、図３ないし図６に示した例では静止画像のスライド表示であり、図７ないし図９に示した例では地図画像のスライド表示であった。この両者を合成したスライド画像を生成し、表示部９に表示を行ってもよい。なお、ユーザが、再生表示の際に静止画スライドと地図画像スライドを合成したスライド画像を表示することを望む場合には、予めメニュー画面等において、合成画像スライド表示を設定しておくものとする。
【００７２】
図２中の（ｅ）に示されるように、撮影時刻変化小、位置変化小、コマ送り後位置がコマ送り前方延長線上、方位変化あり、仰俯角変化なしの場合のスライド画像の合成について、図１０を用いて説明する。この例は、図６に示したズーム効果およびパースペクティブ効果で静止画像のスライド表示を行うと共に、この静止画スライド画像上に図８に示した撮影位置の変化を示す地図スライド表示を重畳することにより得ることができる。
【００７３】
図１０（ａ）は撮影位置関係を示す地図であり、コマ送り前撮影位置５１ａは現在表示中の静止画像の撮影位置を示し、コマ送り後撮影位置５１ｅは次に表示される静止画像の撮影位置を示す。コマ送り前撮影５１ａの撮影方向５２ａの所定角度５７の範囲内に、コマ送り後撮影位置５１ｅが存在する。
【００７４】
図１０（ｂ）は、静止画像にズーム効果およびパースペクティブ効果を施した静止画スライドに、地図画像スライドを重畳して行う場合を示す。まず、撮影位置５１ａと撮影方向５２ａを示す地図画像５５をコマ送り前画像５３の右下隅に重畳したスライド画像４７ａを表示部９に表示する（Ｔ７１参照）。スライド画像４７ａを表示すると、続いて、コマ送り前画像５３のズーム画像５３ａ、５３ｂを生成し、これに撮影位置５１ｂ、５１ｃおよび撮影方向５２ｂ、５２ｃを表示した地図画像５５を重畳させたスライド画像４７ｂ、４７ｃを生成し、表示する（Ｔ７２、Ｔ７３参照）。
【００７５】
１枚目の静止画像にズーム効果を施したスライド画像を表示すると、続いて、パースペクティブ効果を施したスライド画像を表示する。すなわち、コマ送り前画像５３の左辺を右辺より短くしたコマ送り前画像５３ｃを生成し、これに撮影位置５１ｄ、撮影方向５２ｄを示す地図５５を重畳したスライド画像４７ｄを生成し、表示する（Ｔ７４参照）。
【００７６】
さらに、画面の左側からコマ送り後画像５４の右辺を左辺より短くしたコマ送り後画像５４ａを生成し、これに撮影位置５１ｅ、撮影方向５２ｅを示す地図５５を重畳したスライド画像４７ｅを生成し、表示する（Ｔ７５参照）。スライド画像４７ｅを表示すると、最後に、コマ送り後画像５４を表示するスライド画像４７ｆを表示する（Ｔ７６参照）。
【００７７】
このように、図１０に示す例では、２枚の静止画像をスライド表示するにあたって、静止画像にズーム効果やパースペクティブ効果を施し、視覚的に撮影位置等が移動することを演出すると共に、地図画像により撮影位置の変化を容易に理解することができる。なお、地図画像スライドを伴う場合のズーム効果は、撮影位置の変化のみならず、撮影時の焦点距離を考慮してもよい。
【００７８】
次に、図２中の（ａ）（ｃ）に示されるように、撮影時刻変化小、位置変化大、方位変化あり、仰俯角変化なしの場合について、図１１を用いて説明する。この例では、地図スライド表示については、図９に示した例と同様に、撮影位置が大きく変化する場合に小縮尺の地図上で撮影位置の移動を行った後に大縮尺の地図で撮影位置を表示するようにしている。この地図スライド表示を縮小して、静止画像に重畳するが、本実施形態においては、静止画像については、特に画像処理を施さない。
【００７９】
図１１（ａ）は、図９（ａ）と同様に、撮影位置関係を示す地図であり、撮影位置２７は１枚目の撮影位置であり、撮影位置２８は２枚目の撮影位置である。１枚目の撮影は日本で行われ撮影方向２９ａであり、２枚目の撮影は米国で行われ撮影方向２９ｆである。
【００８０】
図１１（ｂ）は、静止画像に縮小→移動→拡大しながら撮影位置および撮影方向を表示する地図画像を重畳した合成画像によるスライド表示を行う場合を示す。まず、撮影位置２７と撮影方向２９ａを示す地図画像５９ａをコマ送り前画像５６に重畳したスライド画像４８ａを表示部９に表示する（Ｔ８１参照）。スライド画像４８ａを表示すると、続いて、コマ送り前画像５６はそのままで、地図画像の縮尺を小縮尺とし、これに撮影位置２７および撮影方向２９ｂを変化させた地図画像５９ｂを重畳させたスライド画像４８ｂを生成し、表示する（Ｔ８２参照）。
【００８１】
スライド画像４８ｂを表示すると、次に、コマ送り前画像５６はそのままで、地図画像の縮尺をさらに小縮尺とし、これに１枚目および２枚目の撮影位置および撮影方向を示す地図画像５９ｃを重畳させたスライド画像４８ｃを生成し、表示する（Ｔ８３参照）。この場合、２枚目の撮影位置２８および撮影方向２９ｅは、最終的な２枚目の撮影位置および撮影方向ではなく、移動経過を表示する。
【００８２】
スライド画像４８ｃを表示すると、コマ送り前画像５６を消去してコマ送り後画像５８に切換える。地図画像の縮尺はそのままで、これに１枚目および２枚目の撮影位置および撮影方向を示す地図画像５９ｃを重畳させたスライド画像４８ｄを生成し、表示する（Ｔ８４参照）。スライド画像４８ｄを表示すると、コマ送り後画像５８に、地図画像の縮尺を大縮尺とし、これに２枚目の撮影位置２８ｇおよび撮影方向２９ｇを示す地図画像５９ｅを重畳させたスライド画像４８ｅを生成し、表示する（Ｔ８５参照）。
【００８３】
スライド画像４８ｅを表示すると、次に、コマ送り後画像５８に、地図画像の縮尺をさらに大縮尺とし、これに２枚目の撮影位置２８および撮影方向２９ｈを示す地図画像５９ｆを重畳させたスライド画像４８ｆを生成し、表示する（Ｔ８６参照）。
【００８４】
このように、図１１に示す例では、２枚の静止画像をスライド表示するにあたって、地図画像を小縮尺にして、撮影位置の移動を示すようにしている。このため、撮影位置の変化を容易に理解することができる。
【００８５】
次に、本実施形態における動作を図１２および図１３に示すフローチャートを用いて説明する。これらのフローチャートは、図示しない不揮発性メモリに記憶されているプログラムに従って制御部３が実行する。
【００８６】
図１２に示す再生モードのフローに入ると、地図画像の生成を行う（Ｓ１）。ここでは、表示地図生成部６が、画像記録部１に記録されている静止画像の画像データ１ａに付随して記憶されている位置・方位・仰俯角データ１ｃに基づいて、再生表示する静止画像に対応した地図画像を生成する。地図画像の生成にあたっては、地図ＤＢメモリ７に格納されている地図データを用いる。
【００８７】
地図画像の生成を行うと、次に、地図画像と静止画像を合成する（Ｓ３）。ここでは、合成部８が、ステップＳ１において生成した地図画像を、画像データ１ｃに基づく静止画像に重畳し、スライド画像を生成する。
【００８８】
地図画像と静止画像を合成すると、次に画像表示を行う（Ｓ５）。ここでは、ステップＳ３において合成したスライド画像を表示部９に表示する。なお、図３ないし図６において説明した静止画像のみの静止画スライドの場合には、ステップＳ１、Ｓ３を省略し、画像データ１ｃに基づく静止画像を表示する。また図７および図８において説明した地図画像のみの地図画像スライドの場合には、ステップＳ３を省略し、ステップＳ１において生成した地図画像のみを表示する。
【００８９】
画像表示を行うと、次に、コマ送りがなされたか否かを判定する（Ｓ７）。ここでは、図示しない十字釦等をユーザが操作し、コマ送り指示がなされたか否かを判定する。この判定の結果、コマ送り操作がなされていなかった場合には、コマ送り操作を待つ待機状態となる。
【００９０】
ステップＳ７における判定の結果、コマ送り操作がなされると、次に、コマ送り前後の位置・方位・仰俯角の変化を算出する（Ｓ９）。ここでは、位置・方位・仰俯角変化算出部３ｂがコマ送り前後の静止画像に付随して記憶されている位置・方位・仰俯角データ１ｃに基づいて、変化を算出する。
【００９１】
位置・方位・仰俯角の変化を算出すると、次に、コマ送り前後の撮影時刻変化の算出を行う（Ｓ１１）。ここでは、撮影時刻変化算出部３ａがコマ送り前後の静止画像に付随して記憶されている撮影時刻１ｂに基づいて、変化を算出する。
【００９２】
撮影時刻の変化を算出すると、次に、スライド方法の決定を行う（Ｓ１３）。ここでは、ステップＳ９およびＳ１１において算出した結果に基づいて、静止画スライドおよび地図画像スライドのスライド方法を決定する。この決定に当たっては、コマ送り前画像とコマ送り後画像の表示の間に表示するスライド枚数も決定する。このスライド方法決定の詳細については、図１３を用いて後述する。
【００９３】
スライド方法を決定すると、次に、スライド静止画像の生成を行う（Ｓ１５）。ここでは、スライド静止画像生成部５が、決定されたスライド方法に従ってスライド静止画を生成する。スライド静止画としては、図３ないし図７において説明したようなズーム効果やパースペクティブ効果等の効果を施す。なお、スライド地図画像のみ表示するモードの場合には、このステップは省略する。
【００９４】
スライド静止画像の生成を行うと、次に、スライド地図画像の生成を行う（Ｓ１７）。ここでは、地図表示生成部６が、ステップＳ１３において決定されたスライド方法に従ってスライド地図画像を生成する。なお、スライド静止画像の表示するモードの場合には、このステップは省略する。
【００９５】
スライド地図画像を生成すると、次に、スライド静止画像とスライド地図画像を合成する（Ｓ１９）。ここでは、合成部８が、ステップＳ１５において生成されたスライド静止画像と、ステップＳ１７において生成されたスライド地図画像を合成する。合成することにより、図９および図１０において説明したような合成画像を得ることができる。なお、スライド静止画像のみを表示するモードの場合、またはスライド地図画像のみを表示するモードの場合には、このステップは省略する。
【００９６】
スライド静止画像とスライド地図画像の合成を行うと、次に、画像表示を行う（Ｓ２１）。ここでは、ステップＳ１９において合成されたスライド画像を表示部９に表示する。なお、スライド静止画像のみを表示するモードの場合には、ステップＳ１５において生成したスライド静止画像を表示し、またスライド地図画像のみを表示するモードの場合には、ステップＳ１７において生成したスライド地図画像を表示する。
【００９７】
画像表示を行うと、次に、スライド終了か否かを判定する（Ｓ２３）。ここでは、ステップＳ１３において決定されたスライド枚数分のスライド画像が表示されたか否かを判定する。この判定の結果、スライド終了でない場合には、ステップＳ１５に戻り、コマ送り前画像とコマ送り後画像の間に表示するスライド画像を生成し、表示する。一方、スライド終了であった場合には、ステップＳ１に戻り、再生モードを続行する。なお、再生釦が再度、操作された場合には、再生モードを終了する。
【００９８】
次に、ステップＳ１３におけるスライド方法決定について、図１３を用いて説明する。スライド方法決定のフローに入ると、まず、コマ送り前後位置関係算出を行う（Ｓ３１）。ここでは、図３等において説明したように、コマ送り前の撮影位置と撮影方向の延長方向の近辺に、コマ送り後の撮影位置が存在するか否かを判定するために、コマ送り前後の位置関係を算出する。
【００９９】
コマ送り前後の位置関係を算出すると、次に、スライドテーブルから静止画／地図スライド方法の選択を行う（Ｓ３３）。ここでは、ステップＳ９において算出したコマ送り前後の位置・方位・仰俯角変化、ステップＳ１１において算出したコマ送り前後の撮影時刻変化、ステップＳ３１において算出したコマ送り前後の位置関係に基づき、図２に示したスライド静止画およびスライド地図画像のスライド方法を選択する。
【０１００】
スライド方法の選択を行うと、次に、スライド方法に応じてスライド枚数の決定を行う（Ｓ３５）。ここでは、コマ送り前画像とコマ送り後画像の間で表示するスライド枚数を、地図スライドの縮尺率変化、移動距離、静止画スライドの種類に応じてスライド枚数を決定する。スライド枚数を決定すると、元のフローに戻る。
【０１０１】
以上説明したように、本発明の一実施形態においては、静止画の画像データと共に記録された位置、方位情報に基づき、複数の静止画像間の位置、方位の差を検出し、この検出結果に基づいて、複数の静止画像を表示するスライド方法を決定するようにしている。このため、撮影シーンを想起し易くして臨場感のある再生表示を行うことが可能となる。
【０１０２】
なお、本発明の一実施形態においては、位置情報、方位情報、仰俯角情報、時刻情報等、複数の情報を用いて、スライド方法を決定していたが、これらの情報の一部を省略して決定してもよく、また一実施形態に明示した情報以外の情報も考慮してスライド方法を決定するようにしても勿論かまわない。
【０１０３】
また、本発明の一実施形態においては、静止画スライド、地図画像スライド、これらの合成画像スライドの３種類を備えていたが、地図画像スライド等、一部のスライド方法を省略しても勿論かまわない。
【０１０４】
また、本発明の一実施形態においては、撮影ための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１０５】
また、本発明の一実施形態においては、画像再生装置としてカメラに適用した例について説明したが、これに限らず、パーソナルコンピュータやテレビ等の画像表示装置にも適用できる。この場合には、カメラ等において撮影した画像を用いて再生すればよい。
【０１０６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１０７】
１・・・画像記録部、１ａ・・・画像データ、１ｂ・・・撮影時刻、１ｃ・・・位置・方位・仰俯角データ、３・・・制御部、３ａ・・・撮影時刻変化算出部、３ｂ・・・位置・方位・仰俯角変化算出部、３ｃ・・・スライド方法決定部、５・・・スライド静止画像生成部、６・・・表示地図生成部、７・・・地図ＤＢメモリ、８・・・合成部、９・・・表示部、２１・・・コマ送り前撮影位置、２１ａ・・・撮影方向、２２・・・コマ送り後撮影位置、２２ａ・・・撮影方向、２３・・・所定角度、２４・・・撮影位置、２４ａ〜２４ｇ・・・撮影方向、２５ａ〜２５ｅ・・・撮影位置、２６ａ〜２６ｅ・・・撮影方向、２７・・・撮影位置、２８・・・撮影位置、２９ａ〜２９ｈ・・・撮影方向、３１・・・コマ送り前画像、３２・・・ズーム画像、３３・・・ズーム画像、３４・・・コマ送り後画像、３５〜３５ｃ・・・コマ送り前画像、３６〜３６ｃ・・・コマ送り後画像、３７〜３７ｄ・・・コマ送り前画像、３８〜３８ｄ・・・コマ送り後画像、４１ａ〜４１ｆ・・・スライド画像、４２ａ〜４２ｇ・・・スライド画像、４３ａ〜４３ｈ・・・スライド画像、４４ａ〜４４ｇ・・・スライド画像、４５ａ〜４５ｅ・・・スライド画像、４７ａ〜４７ｆ・・・スライド画像、４８ａ〜４８ｆ・・・スライド画像、５１ａ〜５１ｅ・・・撮影位置、５２ａ〜５２ｅ・・・撮影方向、５３・・・コマ送り前画像、５３ａ〜５３ｃ・・・ズーム画像、５４・・・コマ送り後画像、５４ａ・・・ズーム画像、５５・・・地図画像、５６・・・コマ送り前画像、５７・・・所定角度、５８・・・コマ送り後画像、５９ａ〜５９ｃ・・・地図画像
【図１】
0005698524.tif 000002
【図２】
0005698524.tif 000003
【図３】
0005698524.tif 000004
【図４】
0005698524.tif 000005
【図５】
0005698524.tif 000006
【図６】
0005698524.tif 000007
【図７】
0005698524.tif 000008
【図８】
0005698524.tif 000009
【図９】
0005698524.tif 000010
【図１０】
0005698524.tif 000011
【図１１】
0005698524.tif 000012
【図１２】
0005698524.tif 000013
【図１３】
0005698524.tif 000014